(57)【要約】【課題】  お守りの内部を視覚的に容易に確認することができるお守りを提供する。【解決手段】  お守りに使用する織物地の一部がメッシュ構造となるように織り上げ、それを裁断した織物で護符を内包するよう、お守り本体１０を構成する織物１の表面あるいは裏面に単独で、あるいは複合した状態で図柄や模様３、あるいは文字２を表出させるとともに、織物１の一部にメッシュ部９を設ける。メッシュ部９における織物の編地密度を他の部分よりも粗く織ることで、お守りの内容物である護符を直ちに認識できる。【選択図】        図１
2007068618.tif 000002
【特許請求の範囲】
【請求項１】
内部に板材、紙材、プラスチック材、金属材等によって形成された護符を入れ、全体が織物地によって覆われて形成されるお守りであって、前記織物地は、部分的にメッシュ状の隙間を持つように織られていることを特徴とするお守り。
【請求項２】
前記メッシュ状の隙間は、織物地の一部の編地密度を他の部分よりも粗く織ることで形成されることを特徴とする請求項１記載のお守り。
【請求項３】
前記メッシュ状の隙間は、織物に溶融や打ち抜き等の機械的な方法により貫通された複数の孔であることを特徴とする請求項１記載のお守り。
【請求項４】
前記メッシュ状の隙間が、当該お守りの表面または裏面、あるいは表面と裏面に形成されていることを特徴とする請求項１乃至３のいずれかに記載のお守り。
【請求項５】
前記メッシュ状の隙間は、当該お守りの内容物の有無を外部から視認できる程度の大きさを有することを特徴とする請求項４記載のお守り。
【請求項６】
さらに、当該お守りの表面または裏面、あるいは表面と裏面に図柄、模様、文字および地模様が単独で、または複合した状態で表出されていることを特徴とする請求項４記載のお守り。
【請求項７】
前記メッシュ状の隙間、図柄、模様、および文字が一定間隔に連続して形成表出されるように織られた前記織物を一定間隔で裁断し、その裁断で得られた織物片を縫合、のり付け等して構成したことを特徴とする請求項６記載のお守り。
【請求項８】
内部に板材、紙材、プラスチック材、金属材等によって形成された護符を入れて、全体が織物地によって覆われて形成されるお守りであって、部分的にメッシュ状の隙間を持つ織物によって構成することにより、当該お守りに内包された前記護符を外部から視認できるように構成されたことを特徴とするお守り。
【請求項９】
表面あるいは裏面に当該お守りの内容や寺社名を表示する表示部、および模様部分を有する織物によって密閉形成されるお守りであって、前記織物の一部の編地密度を他の部分よりも粗く織ることでメッシュ部を構成したことを特徴とするお守り。
【発明の詳細な説明】
【技術分野】
【０００１】
本発明は、所定の織物地によって構成されるお守りに関するものである。
【背景技術】
【０００２】
お守りの使用形態として、お守り入れ袋に入れずにそれ自体を身に付けたり、カバンや手提げ袋に取り付けたり、あるいは車や自転車等に吊下げたりする方法以外に、特別のお守り入れケースに入れて使用する方法もある。また、織物を用いて構成されるお守りとして種々の形態のものがある。例えば、長方形状あるいは正方形状に織物を折りたたみ、あるいは裁断して用い、四方を密閉してお守りを形成したり、織物にお守りの内容を表示する内容表示部や寺社名を表示する寺社名表示部、あるいは寺社の紋を表示する紋表示部を設けて織り、それらの表示部が設けられた織物を一定間隔で裁断し、裁断された一片の織物の四方を密閉してお守りを形成するものがある。
【０００３】
さらには、織物の両端を内側に折り曲げ、織物の両端間に適度な間隙を設け、その間隙に護符が外部から見えるように装着し、織物の両端を各々のり等で接着して、１体のお守りを形成するものがある。この他にも、紙材の表裏に織物を貼付し、しかる後、一定の形状に裁断し、形成されるお守り等もある。この場合、織物地に文字表示部が設けられ、例えば、お守りとか御守の文字が表示されたり、あるいは裏側に寺社名が表示される。
【発明の開示】
【発明が解決しようとする課題】
【０００４】
上述した織物を用いて作られた従来のお守りのうち、護符が外部から見えない形態のもの、つまり、護符そのものを直ちに外部から認識できる構造になっていないお守りは、その表面に配した模様や色彩の美しさや豊かさを認識できても、願望達成の源となる護符の存在が認識できないため、お守りを保持する者にとって不安感が増し、運を呼び入れ、厄を追い払うといったご利益に与ることができないという問題がある。
【０００５】
特に、お守りを肌身離さず持つ習慣を有する者にとって、そのお守りに実際に護符が内包されているかどうかを常に確認したい欲求が高いにもかかわらず、お守りの中の護符を確認する行為そのものに、ある種の抵抗を感じる場合がある。また、織物を用いて作られたお守りは、中身を見るための紐等が特に設けられていないため開封が難しいという問題がある。これは、お守り袋をカバン類に吊り下げる等して持ち歩く者にとっても同様に感得する問題である。
【０００６】
本発明は、上述した課題に鑑みてなされたもので、その目的とするところは、従前の不便や欠点を解消し、お守りの内部を視覚的に容易に目視、確認できるお守りを提供することである。
【課題を解決するための手段】
【０００７】
かかる目的を達成し、上述した課題を解決する一手段として、例えば、以下の構成を備える。すなわち、内部に板材、紙材、プラスチック材、金属材等によって形成された護符を入れ、全体が織物地によって覆われて形成されるお守りであって、上記織物地は、部分的にメッシュ状の隙間を持つように織られていることを特徴とする。
【０００８】
例えば、上記メッシュ状の隙間は、織物地の一部の編地密度を他の部分よりも粗く織ることで形成されることを特徴とする。また、例えば、上記メッシュ状の隙間は、織物に溶融や打ち抜き等の機械的な方法により貫通された複数の孔であることを特徴とする。
【０００９】
例えば、上記メッシュ状の隙間が、当該お守りの表面または裏面、あるいは表面と裏面に形成されていることを特徴とする。また、例えば、上記メッシュ状の隙間は、当該お守りの内容物の有無を外部から視認できる程度の大きさを有することを特徴とする。
【００１０】
例えば、さらに、当該お守りの表面または裏面、あるいは表面と裏面に図柄、模様、文字および地模様が単独で、または複合した状態で表出されていることを特徴とする。
【００１１】
例えば、上記メッシュ状の隙間、図柄、模様、および文字が一定間隔に連続して形成表出されるように織られた上記織物を一定間隔で裁断し、その裁断で得られた織物片を縫合、のり付け等して構成したことを特徴とする。
【００１２】
上述した課題を解決する他の手段として、本発明は、内部に板材、紙材、プラスチック材、金属材等によって形成された護符を入れて、全体が織物地によって覆われて形成されるお守りであって、部分的にメッシュ状の隙間を持つ織物によって構成することにより、当該お守りに内包された上記護符を外部から視認できるように構成されたことを特徴とする。
【００１３】
また、上述した課題を解決する他の手段として、本発明は、表面あるいは裏面に当該お守りの内容や寺社名を表示する表示部、および模様部分を有する織物によって密閉形成されるお守りであって、上記織物の一部の編地密度を他の部分よりも粗く織ることでメッシュ部を構成したことを特徴とする。
【発明の効果】
【００１４】
本発明によれば、お守りの表面等に表出した模様部や地模様部等とともに、お守りの内部を視覚的に容易に目視、確認できる。
【発明を実施するための最良の形態】
【００１５】
以下、添付図面を参照して、本発明に係る実施の形態例を詳細に説明する。図１は、本実施の一形態例に係るお守りの表面図である。図１に示すお守りは、同図の（ａ）に示す護符５を内部に包含しており、この護符５は、例えば、板材、紙材、プラスチック材、金属材等によって板状に形成され、その表面に梵字や記号等が書かれている。また、本実施の形態例に係るお守りは、図１の（ｂ）に示すように、例えば、お守りの内容や寺社名を表示する表示部２を有する織物１によって密閉形成されている。
【００１６】
図１に示すお守りを構成する織物１は、その表面あるいは裏面に単独で、あるいは複合した状態で図柄や模様３、あるいは文字２を表出させるとともに、織物１の一部にメッシュ部９を設けて織り上げた構成を有する。ここで、メッシュ部とは、その部分の織物の編地密度が、他の部分よりも粗く織った部分であり、本実施の形態例に係るお守りでは、メッシュ部９を通じて織物１の反対側を見通すことができる程度の粗さを有する。
【００１７】
なお、単独で織物表面に表出させるとは、例えば、単に図柄なら図柄のみを、織物表面に表出させることができるということであり、複合した状態とは、例えば、図柄と文字、あるいは模様と図柄および文字を同時に、織物表面に表出させることができるということである。すなわち、お守りの表面あるいは裏面に図柄や模様、あるいは文字（例えば、お守りの内容表示部や寺社名の寺社名表示部等）を単独で表出させたり、あるいは複合した状態で表出して織り上げる。
【００１８】
お守り本体１０の形状は、例えば、図１に示すように方形状に形成される。また、お守り本体１０は、上述したように板材、紙材、プラスチック材、金属材等によって形成された護符５を内部に包含し、織物１によって密閉して形成される。なお、護符とは、神仏が加護して種々の厄難から逃れさせるという札で、紙製や板製のもの、あるいはプラスチック、金属等で構成されるものがあり、その表面等には、例えば、神璽が押印してあったり、真言蜜呪や神仏の名が書かれている。このような護符を必ず有しているからこそ、お守りとされるものである。
【００１９】
さらに、メッシュ部９についても、織物１で構成されるお守り１０の表面あるいは裏面の任意の位置に配することができ、その数も１つのみならず複数としたお守りとして構成することもできる。また、メッシュ部９の形状も、図１に示す矩形に限定されず、例えば、円形でも他の形状でも形成できる。図２は、お守り１０の表面に２ヶ所のメッシュ部９ａ，９ｂを設けた例を示している。
【００２０】
模様や図柄３のうち、図柄として、例えば、山の図、花の図、動物の図、建物、あるいは人物図等、様々な図柄を表出できる。また、模様としては、例えば、花柄模様、同一形状の模様等を連続して表出することができる。これらの模様や図柄３は、あらかじめ様々な色彩で染められた繊維で織り上げることで、特定の部分を強調した模様等を表出できるとともに、それらを、お守りの一方側表面、あるいは両側表面に表出することもできる。その結果、模様や図柄３を単独に、また他の模様や文字等と複合した状態で表出させたお守りを構成することができる。
【００２１】
文字２は、通常、お守り１０の表側に「御守」の文言の他、例えば、交通安全、家内安全、学業成就、合格、身体健全等の祈願用語で表示され、お守り１０の裏面には、例えば、神社、仏閣の名称が表示される。これらの文字２についても、上述した模様や図柄３と同様、所定の色彩で染められた繊維で織り上げることで、特定部分を強調して表出することができる。
【００２２】
なお、文字２は、お守り１０の場合、通常、表と裏の二ヶ所に表出されるが、いずれか一方側面のみの場合もある。よって、お守り１０の一方側面、あるいは両側面において、単独あるいは複合的に文字部分が表出するように構成できる。
【００２３】
一方、お守り１０の地模様４は、お守り１０の織物を織る際に、例えば、楔形地模様や唐草地模様、縦縞地模様や横縞地模様等を形成したり、無地とすることができる。この地模様４についても、所定の色彩で染められた繊維で織り上げることで、他の模様や図柄３、あるいは文字２と複合的に表出するよう構成できる。
【００２４】
このように、本実施の形態例に係るお守りは、織物１の一部にメッシュ部９が配されるように織り上げた構成を有するため、織物１で包まれた護符を外部から直ちに認識できる。従って、メッシュ部９とともに図柄や模様、あるいは文字を織物の表面に表出させることで、織物１内の護符の存在を目視で確認でき、同時に色彩鮮やかな部分を呈するお守りとすることができる。
【００２５】
次に、本実施の形態例に係るお守り袋に使用する織物地について説明する。本実施の形態例に係るお守りには、それを構成する織物地として、例えば、合成繊維等を縦糸と緯糸として平織や綾織等したもの、あるいは、綿織物や西陣織り（登録商標）等を使用する。この織物地を織る際、所定箇所に網状の隙間を持つ部分を有する生地とすることで、その部分が上述したメッシュ部９となる。
【００２６】
メッシュ部９の疎密の度合い、つまり、メッシュ部における編地の密度（メッシュの粗さ）は、縦糸と緯糸の交差するマス目の大きさで決まる。本実施の形態例に係るお守りでは、例えば、マス目の大きさを１インチあたり４０メッシュ〜６０メッシュとし、お守りの中の護符が外部から辛うじて見える程度に構成されている。
【００２７】
メッシュ部に空隙を作るためには、メッシュ部で糸が偏平に広がらないように、縦糸、緯糸ともに撚糸を使用することが好ましいとされる。ここでは、メッシュ部分について、通常の織物部分と比較して、単位寸法あたりの緯糸の本数を削減して空隙を構成する。例えば、すべての緯糸が同一の繊度である場合、メッシュ部で緯糸を数本以上、引き揃えて空隙を作る。あるいは、メッシュ部の緯糸を、通常の織物部分と比較して、細繊度の糸を使用して空隙を作る。さらには、メッシュ部のみ、緯糸の単位寸法あたりの打込数を減らして空隙を作ることも可能である。なお、これらの方法を組み合わせて空隙を作ってもよい。
【００２８】
次に、本実施の形態例に係るお守りの製造方法について簡単に説明する。本実施の形態例に係るお守りを構成する織物は、その表面の一部に単一または複数のメッシュ部を設けて織り上げた構成を有する。このようなメッシュ部を設けたり、図柄や模様、あるいは文字等を表出するため、例えば、これらの位置や形状、色彩等を定めた紋紙（意匠データ）をあらかじめ作成する。この紋紙からは、織物の織機に使用する型紙が作成される。
【００２９】
なお、お守りにおけるメッシュ部の位置は、図１に示すように、お守りの中央部でもよいし、あるいは、護符の存在が外部から確認できれば本来の目的を達成できるという観点から、お守りの中央部ではなく上端近傍あるいは下端近傍、または、左端近傍あるいは右端近傍等にメッシュ部９を配してもよい（図２参照）。
【００３０】
型紙は、あらかじめ一定の模様や図柄、文字、およびメッシュ部が、一定間隔で繰り返して織られるように構成されている。そのため、これらの模様や図柄、文字、およびメッシュ部が織られた織物を一定間隔で裁断することで、各々の織物片が得られる。
【００３１】
上述した型紙を、例えば、織物の織機の所定位置にセットすると、その織機に内蔵されたコンピュータ（マイクロプロセッサ）が、それらの図柄や模様、文字、およびメッシュ部等を読み込み、さらには、指定された色に応じて、その色の糸を繰り取る。その結果、目的とする図柄や模様、文字、およびメッシュ部が所定の糸で織り上げられることになる。
【００３２】
このように、図柄や模様、文字、およびメッシュ部が繰り返し表出するように織られた織物を一定間隔で裁断し、各々の織物片について、例えば、端部を折り曲げて縫合し、模様や図柄、あるいは文字が表面に表出し、かつ、所定箇所にメッシュ部が形成されるように織物片を２つに折り曲げる。そして、その両側を縫合、のり付け等して、内部に護符を入れたお守りが形成される。また、板材等の護符の場合には、その護符に、この織物片を貼付して折り曲げて形成され、両端を折って、その内部に紙製の護符を入れる場合には、その両端をのり等で護符とともに接着するようにして形成される。
【００３３】
このように、本実施の形態例に係るお守りに使用する織物は、その表面に図柄や模様、文字とともにメッシュ部が形成されるように織り込まれる。そして、これらの図柄や模様、文字、メッシュ部は、お守りの一方の表面のみに、単独であるいは複合した状態で表出させることもできるし、また、お守りの両側表面に図柄や模様、文字、メッシュ部を同時に、単独であるいは複合した状態で表出させることもできる。これらは、上述した型紙に、あらかじめ織り込み情報を組み込むことによって可能となる。
【００３４】
なお、上述した例では、お守りを構成する織物を織り上げる段階で、その表面の一部にメッシュ部を設けるよう構成しているが、このメッシュ部と同様の効果を奏することができれば、かかる構成に限定されないことは言うまでもない。すなわち、お守りに内包された護符を外部から認識できるようにするという目的を達成するために機械的な方法、例えば、織物に溶融やポンチによる打ち抜き等により穴（貫通孔）を空けてもよい。この場合、本発明の趣旨から、できる限り小径の穴とすることが好ましい。
【００３５】
以上説明したように、本実施の形態例によれば、お守りに使用する織物地の一部がメッシュ構造となるように織り上げ、それを裁断した織物で護符を内包する構成とすることで、そのメッシュ部分を介して、お守り内の護符を外部から直ちに認識できる。そのため、お守りを保持する者がしばしば有することになる護符の存在の有無に関する不安感が解消するという利点がある。同時に、保持者がお守りの内部を確認する際、紐等を解いて開封するといった煩わしさもなくなる。
【００３６】
また、お守りの表面に配したメッシュ部分が装飾的な効果をも有するため、メッシュ部分単独で、あるいは、織物表面に図柄や模様、文字も表出させることで、これら図柄等とメッシュ部分とを一体として視覚的に楽しむことができ、見た目にも変化に富んだお守りとすることができる。
【００３７】
さらには、本実施の形態例に係るお守りは、織物として構成できるため、その構造が簡単であり、大量生産が可能であるので、経済的に安価に供給できるという効果がある。
【図面の簡単な説明】
【００３８】
【図１】本発明の実施の形態例に係るお守りの表面図である。
【図２】本発明の他の実施の形態例に係るお守りの表面図である。
【符号の説明】
【００３９】
１    織物
２    表示部
３    模様
４    地模様
５    護符
９，９ａ，９ｂ    メッシュ部
１０    お守り本体
【図１】
2007068618.tif 000003
【図２】
2007068618.tif 000004